(57)【特許請求の範囲】
【請求項１】
複数の孔を備え、固体と液体との混合液が供給される円筒状のスクリーンフィルタと、前記スクリーンフィルタの内部に収納される、螺旋状のスクリュー羽根を備えるスクリューと、前記スクリーンフィルタを所定の回転速度で回転させることで前記混合液を搬送する回転部とを備えた固液遠心分離装置であって、
前記スクリュー羽根の径方向の先端に設けられ、所定の範囲内で、当該スクリュー羽根の中心軸に向かう前後方向に摺動可能で、且つ、自身の外周面を前記先端から張り出すように構成された弾性体を備え、
前記弾性体が、前記スクリュー羽根の先端を凸部として当該凸部に遊嵌可能な凹部が長手方向に沿って設けられた略直線状で可撓性の摺接部材であり、
前記摺接部材を撓ませて、当該摺接部材の凹部を、前記スクリュー羽根の中心軸に向かう前後方向に摺動可能に当該先端に遊嵌させるとともに、当該摺接部材を、前記先端と前記スクリーンフィルタの内周面との間に挿通させることで、前記凹部の内底面と、前記先端との間に所定のクリアランスを設けて、当該凹部の外底面を前記スクリーンフィルタの内周面に押圧させた状態とし、
前記スクリーンフィルタの長手方向の軸及び前記スクリューの中心軸が、水平方向に合うように配置され、
前記回転部が、前記スクリーンフィルタを回転させ、前記スクリュー羽根における、前記スクリーンフィルタの混合液が排出される排出口側の末端部の近傍を前記スクリューの長手方向に対応する混合液の搬送方向側に折り曲げることで、前記スクリューの長手方向と直角な方向から見た、当該末端部の近傍のスクリュー羽根の水平線に対する傾斜角度を、他のスクリュー羽根の水平線に対する傾斜角度よりも小さくするとともに、当該末端部の向きを、前記中心軸の水平方向の位置よりも上方に向かせて固定させた
固液遠心分離装置。
【発明の詳細な説明】
【技術分野】
【０００１】
本発明は、固液遠心分離装置及びスクリュー搬送装置に関し、詳しくは、スクリュー羽根の先端と、これに対面する面との間に生じるクリアランスをゼロとして、搬送対象物の目詰まり等を確実に防止するとともに、長期使用を可能とする固液遠心分離装置及びスクリュー搬送装置に関する。
【背景技術】
【０００２】
従来より、搬送用のスクリューを用いて、所定の固体（例えば、粒状物の集合体）と、所定の液体との混合液から、固体と液体とを分離する固液遠心分離装置又は前記スクリューを用いて、前記固体、前記液体若しくは前記混合液を搬送するスクリュー搬送装置が存在する。
【０００３】
例えば、食品原料の１種類である豆乳原料から豆乳を作製する豆乳搾り機も、前記スクリュー搬送装置から構成されている。豆乳原料の投入口と、当該投入口と反対側に開口形成された排出口とを備える筒体内に、所定のスクリューが、当該筒体の軸方向に沿って配置される。又、前記スクリューには、所定の回転速度を伝達する回転駆動部が連結され、前記筒体の排出口には圧縮シリンダを有する閉止用蓋により押圧されている。更に、前記筒体のスクリューの外周と接近する部位には、当該スクリューを囲んで、複数の孔を有するスクリーンが設けられ、前記筒体の下流側のスクリーンと相対向する部位には、豆乳受け用ホッパが設けられ、最下流側に前記排出口が設けられる。
【０００４】
ここで、前記投入口から豆乳原料を前記筒体内に投入して、前記回転駆動部を作動すると、当該回転駆動部に連結されたスクリューが所定の回転速度で回転することにより、前記豆乳原料が、当該スクリューの羽根間の空隙内を移動し、先端側に進むに従って、順次圧搾される。そして、前記圧搾により、豆乳原料は、前記スクリーンに押し付けられて、圧搾分離液と脱水粕とに分離される。
【０００５】
前記分離された圧搾分離液は、豆乳受け用ホッパ内に回収され、排出口から排出される。一方、ケーキ状の脱水粕は、前記筒体と閉止用蓋との間の排出口から押し出されることになる。
【０００６】
しかしながら、上述のようなスクリュー搬送装置では、装置の肥大化、スクリーンへの脱水粕の目詰まり、作業効率の低下などの問題がある。
【０００７】
このような問題を解決する発明として、特開平９−８４５４５号公報（特許文献１）には、機械内に投入された食品原料を搾り込んで液状の圧搾分離液と脱水粕とに分離する搾り機（スクリュー搬送装置）であって、前記食品原料投入口と前記圧搾分離液および脱水粕の排出口とを有し垂直方向に沿って設置される縦型筒体と、該筒体内に垂直に収納され、投入側の上方から排出側の下方に向かって隣接する羽根間の容積を縮減するように形成されるスクリューとを備えた搾り機が開示されている。当該搾り機では、更に、前記スクリューの回転機構部と、前記縦型筒体とスクリュー間に配設され前記スクリューの羽根先端に接合される摺接部材と、該摺接部材が摺動するスクリーンを備えている。これにより、省スペース化、目詰まりの防止、作業効率の向上、前記摺接部材による圧力損失の防止などの効果を得ることが出来るとしている。又、特開平１０−２５８３９５号公報（特許文献２）も同様である。
【０００８】
又、特開平１０−１２８１５６号公報（特許文献３）には、回転シリンダ内に、螺旋羽根を備えたスクリューコンベアを回動可能に収容し、回転シリンダの内壁面とスクリューコンベアとの間に螺旋状に区画された固液分離領域を設けた遠心分離機が開示されている。当該遠心分離機では、前記スクリューコンベアの螺旋羽根の周縁部に、耐摩耗性を改善する耐摩手段を設けている。これにより、耐久性、特に、螺旋羽根の耐摩耗性を向上させ、処理対象物がワイヤソー用スラリーのような、固体含有量が極めて高く、その固体成分である砥粒自体が切削性（又は研磨性）の物質である場合であっても、螺旋羽根の磨耗を防止し、長期使用を可能とすることが出来るとしている。
【０００９】
又、特開２００１−１９０９８５号公報（特許文献４）には、デカンター型連続遠心分離機用スクリューの外周面に螺旋状に形成したスクリュー羽根の外周先端部に沿って固着する係止溝を形成した台金と、該台金の係止溝と嵌合し、台金ボルトと接着剤とによって固定される耐摩耗材とを備えたデカンター型連続遠心分離機用スクリューが開示されている。当該デカンター型連続遠心分離機用スクリューでは、更に、台金ボルトを締め付けることにより、台金に形成した係止溝の傾斜面に耐摩耗材の係止面を押し付けて固定する台金ボルトに螺合する偏心座を備える。これにより、スクリュー羽根の耐摩耗性が向上し、装置の耐久性が向上するとともに、固形物を搬送する際に受ける外力のほか、スラリーによる腐食、接着剤そのものの経年変化等による劣化があっても、耐摩耗材がスクリュー羽根より剥離脱落する事故を防止することが出来るとしている。
【先行技術文献】
【特許文献】
【００１０】
【特許文献１】特開平９−８４５４５号公報
【特許文献２】特開平１０−２５８３９５号公報
【特許文献３】特開平１０−１２８１５６号公報
【特許文献４】特開２００１−１９０９８５号公報
【発明の概要】
【発明が解決しようとする課題】
【００１１】
ここで、上述した固液遠心分離装置又はスクリュー搬送装置では、スクリューの羽根の先端と、当該先端に対面するスクリーン面又はシリンダ面との間にクリアランスが無ければ、搬送効率、分離効率などが向上することが知られている。
【００１２】
上述した特許文献１−３に記載の発明では、いずれも、スクリューの羽根の先端に所定の摺接部材（耐摩手段）を接合などで固定して、前記クリアランスをゼロにしようとする構成であるため、当該摺接部材が確実に磨耗されるという問題がある。つまり、前記摺接部材と、スクリーン内周面（シリンダ内壁面）との間のクリアランスが、使用時ではゼロに近かったものの、長期使用により、前記摺接部材が磨耗し、その結果、前記クリアランスが生じることになる。前記クリアランスが生じると、処理対象物、例えば、固液分離の場合には固体が当該クリアランスに入り込み（前記摺接部材と前記スクリーンとの間に挟まり）、目詰まりや前記スクリューのガタつき、羽根の劣化などの問題を引き起こす。
【００１３】
又、特許文献４に記載の発明では、スクリュー羽根の耐磨耗材が、ボールの内面（スクリーンに対応）と接触しないため、当然に、上述したクリアランスをゼロにすることは出来ないという問題がある。
【００１４】
そこで、本発明は、前記問題を解決するためになされたものであり、本発明者が鋭意研究を行った結果、画期的なアイデアに基づきなされたものである。即ち、本発明は、スクリュー羽根の先端と、これに対面する面との間に生じるクリアランスをゼロとして、搬送対象物の目詰まり等を確実に防止するとともに、長期使用を可能とする固液遠心分離装置及びスクリュー搬送装置を提供することを目的とする。
【課題を解決するための手段】
【００１５】
上述した課題を解決し、目的を達成するために、本発明に係る固液遠心分離装置は、複数の孔を備え、固体と液体との混合物が供給される円筒状のスクリーンフィルタと、前記スクリーンフィルタの内部に収納される、螺旋状のスクリュー羽根を備えるスクリューと、前記スクリーンフィルタ又はスクリューを所定の回転速度で回転させることで前記混合液を搬送する回転部とを備えた固液遠心分離装置であって、以下の構成を採用する。
【００１６】
即ち、前記固液遠心分離装置は、前記スクリュー羽根の径方向の先端に設けられ、所定の範囲内で、当該スクリュー羽根の中心軸に向かう前後方向に摺動可能で、且つ、自身の外周面を前記先端から張り出すように構成された弾性体を備え、前記弾性体の外周面を前記スクリーンフィルタの内周面に内接させた状態で、当該スクリュー羽根を当該スクリーンフィルタの内部に収納させることで、前記外周面を前記内周面に押圧させた状態とする。
【００１７】
これにより、前記弾性体に起因する復元力により、当該弾性体の外周面が、前記スクリーンフィルタの内周面を常に押圧し、前記スクリュー羽根の径方向の先端と前記スクリーンフィルタの内周面との間の第一のクリアランスをゼロとすることが可能となる。又、前記弾性体が、所定の範囲内で摺動することで、当該弾性体の外底面に対する前記スクリーンフィルタの内周面からの押圧を適宜緩和させて、当該弾性体の外周面に対する過度の磨耗を防止し、当該弾性体の長期使用を図ることが可能となる。
【００１８】
又、本発明に係る固液遠心分離装置は、前記弾性体が、前記スクリュー羽根の径方向の先端を凸部として当該凸部に遊嵌可能な凹部が長手方向に沿って設けられた略直線状で可撓性の摺接部材である。更に、前記固液遠心分離装置は、前記摺接部材を撓ませて、当該摺接部材の凹部を、前記スクリュー羽根の中心軸に向かう前後方向に摺動可能に当該先端に遊嵌させるとともに、当該摺接部材を、前記先端と前記スクリーンフィルタの内周面との間に挿通させることで、前記凹部の内底面と、前記先端との間に所定のクリアランス（第二のクリアランス）を設けて、当該凹部の外底面を前記スクリーンフィルタの内周面に押圧させた状態とすることが出来る。
【００１９】
又、本発明に係る固液遠心分離装置は、前記摺接部材が曲線状である場合に、当該摺接部材の撓ませる前の凹部の描く線の曲率半径が、前記スクリュー羽根の径方向の先端の描く曲線の曲率半径よりも大きい構成を採用することが出来る。
【００２０】
又、本発明に係る固液遠心分離装置は、前記摺接部材の凹部の内底面と外底面との間の第一の寸法が、当該摺接部材を挿通させる前における前記スクリュー羽根の径方向の先端と前記スクリーンフィルタの内周面との間の第二の寸法よりも短い構成を採用することが出来る。
【００２１】
又、本発明に係る固液遠心分離装置は、前記第一の寸法が、前記第二の寸法よりも１．０ｍｍ−２．０ｍｍの範囲内で短い構成を採用することが出来る。
【００２２】
又、本発明に係る固液遠心分離装置は、前記孔が、前記スクリーンフィルタの内側から外側に向かって拡径された構成を採用することが出来る。
【００２３】
又、本発明に係る固液遠心分離装置は、前記スクリーンフィルタの長手方向の軸及び前記スクリューの中心軸が、水平方向に合うように配置され、前記回転部が、前記スクリーンフィルタを回転させる構成を採用する。更に、本発明に係る固液遠心分離装置は、前記スクリュー羽根における、前記スクリーンフィルタの混合液が排出される排出口側の末端部の近傍を前記スクリューの長手方向に対応する混合液の搬送方向側に折り曲げることで、前記スクリュー羽根の長手方向と直角な方向から見た、当該末端部の近傍のスクリュー羽根の水平線に対する傾斜角度を、他のスクリュー羽根の水平線に対する傾斜角度よりも小さくするとともに、当該末端部の向きを、前記中心軸の水平方向の位置よりも上方に向かせて固定させた構成を採用することが出来る。
【００２４】
又、本発明に係る固液遠心分離装置は、前記スクリュー羽根を、径方向の外径が前記スクリーンフィルタの内径よりも所定量だけ大きい螺旋状のコイル線材とすることで、当該コイル線材の径方向の外周面を前記弾性体とすることが出来る。更に、前記外周面を前記スクリーンフィルタの内周面に内接させた状態で、前記コイル線材を当該スクリーンフィルタの内部に収納させることで、前記外周面を前記内周面に押圧させた状態とすることが出来る。
【００２５】
又、本発明は、他の観点から、スクリュー搬送装置に適用することが可能である。つまり、本発明に係るスクリュー搬送装置は、搬送対象物が供給される円筒状のシリンダと、前記シリンダの内部に収納される、螺旋状のスクリュー羽根を備えるスクリューと、前記シリンダ又はスクリューを所定の回転速度で回転させることで前記搬送対象物を搬送する回転部とを備えたスクリュー搬送装置であって、以下の構成を採用する。
【００２６】
即ち、前記スクリュー搬送装置は、前記スクリュー羽根の径方向の先端に設けられ、所定の範囲内で、当該スクリュー羽根の中心軸に向かう前後方向に摺動可能で、且つ、自身の外周面を前記先端から張り出すように構成された弾性体を備え、前記弾性体の外周面を前記シリンダの内周面に内接させた状態で、当該スクリュー羽根を当該シリンダの内部に収納させることで、前記外周面を前記内周面に押圧させた状態とする。
【００２７】
これにより、上述したように、前記スクリュー羽根の径方向の先端と前記シリンダの内周面との間の第一のクリアランスをゼロとするとともに、前記弾性体の長期使用を図ることが可能となる。又、前記第一のクリアランスのゼロにより、前記シリンダ内に供給した搬送対象物を内部に殆ど残留させることなく、前記シリンダの排出口へ搬送させることが可能となる。
【発明の効果】
【００２８】
本発明に係る固液遠心分離装置及びスクリュー搬送装置によれば、スクリュー羽根の先端と、これに対面する面との間に生じるクリアランスをゼロとして、搬送対象物の目詰まり等を確実に防止するとともに、長期使用を可能とする。
【図面の簡単な説明】
【００２９】
【図１】本発明に係る固液遠心分離装置の一例を示す正面断面図である。
【図２】本発明に係る固液遠心分離装置の一例を示す左側面断面図である。
【図３】本発明に係る固液遠心分離装置のスクリュー羽根の先端とスクリーンフィルタの内周面との間に摺接部材が無い場合を説明するための概略断面図（図３（Ａ））と、本発明に係る固液遠心分離装置のスクリュー羽根の先端とスクリーンフィルタの内周面との間に摺接部材が有る場合を説明するための概略断面図（図３（Ｂ））とである。
【図４】本発明に係る固液遠心分離装置の摺接部材の一例を示す斜視図である。
【図５】本発明に係る固液遠心分離装置の摺接部材の凹部をスクリュー羽根の先端に取り付ける場合を説明するための第一の斜視図である。
【図６】本発明に係る固液遠心分離装置の摺接部材の凹部をスクリュー羽根の先端に取り付ける場合を説明するための第二の斜視図である。
【図７】本発明に係る固液遠心分離装置において排出口側のスクリュー羽根の末端部近傍の正面断面拡大図である。
【図８】本発明に係る固液遠心分離装置において排出口側のスクリュー羽根の末端部の向きを説明するための概略断面図である。
【図９】本発明に係る固液遠心分離装置のコイル線材の正面図と左側面図（図９（Ａ））であり、本発明に係る固液遠心分離装置のコイル線材をスクリーンフィルタの内部に収納した状態の正面図と左側面図（図９（Ｂ））である。
【図１０】本発明に係るスクリュー搬送装置の一例を示す正面断面図である。
【発明を実施するための形態】
【００３０】
以下に、添付図面を参照して、本発明に係る固液遠心分離及びスクリュー搬送装置の実施形態について説明し、本発明の理解に供する。尚、以下の実施形態は、本発明を具体化した一例であって、本発明の技術的範囲を限定する性格のものではない。
【００３１】
＜固液遠心分離装置＞
【００３２】
図１は、本発明に係る固液遠心分離装置１の一例を示す正面断面図であり、図２は、本発明に係る固液遠心分離装置１の一例を示す左側面断面図である。尚、図１、図２では、本発明に係るスクリュー搬送装置１の内部構造を適宜表示している。
【００３３】
さて、本発明に係る固液遠心分離装置は、例えば、粒子状の固体Ｓと液体Ｌとの混合液Ｍ（混合物）から、当該固体Ｓと当該液体Ｌとを分離する。本発明に係る固液遠心分離装置１は、図１、図２に示すように、円筒状のケーシング１１と、前記混合液Ｍが搬送対象物（分離対象物）として供給（投入）される円筒状のスクリーンフィルタ１２と、当該スクリーンフィルタ１２の内部に収納（配設）されたスクリュー１３と、前記スクリーンフィルタ１２を所定の回転速度で回転させることで前記混合液Ｍを搬送する回転部１４（回転手段）とで基本的に構成されている。
【００３４】
又、前記固液遠心分離装置１は、前記スクリーンフィルタ１２の長手方向の軸１２ａと、円筒状で、前記スクリュー１３の長手方向の軸となり得る中心軸１３ａとが水平方向にそれぞれ配置された横型の遠心分離装置である。
【００３５】
前記スクリーンフィルタ１２には、一端に前記混合液Ｍが供給される供給口１２ｂが設けられ、他端に当該混合液Ｍ（主として分離後の固体Ｓ）が排出される排出口１２ｃが設けられている。前記供給口１２ｂは、外部につながり、前記混合液Ｍが供給される供給管１５と連通しており、前記供給管１５に供給された混合液Ｍが、前記供給口１２ｂを介して前記スクリーンフィルタ１２の内部に投入される。尚、図１に示すように、前記供給管１５と、前記スクリュー１３の中心軸１３ａとは一体として構成し、部材点数の減少を図っている。
【００３６】
ここで、前記スクリーンフィルタ１２は、前記混合液Ｍの固体Ｓのサイズよりも小さいサイズの孔径の孔を全面に渡って複数備えている。
【００３７】
又、前記スクリュー１３には、前記中心軸１３ａの外周面に沿って螺旋状のスクリュー羽根１３ｂが設けられ、当該スクリュー１３は、当該中心軸１３ａを前記スクリーンフィルタ１２の長手方向の軸１２ａに合わせて配設される。
【００３８】
前記スクリュー羽根１３ｂは、図２に示すように、前記中心軸１３ａの外周面から放射状に突設した３つの固定部材１３ｃにより固定され、当該中心軸１３ａの外周面との間に空間Ｖ（開口）を形成する構成である。尚、前記固定部材１３ｃは、例えば、前記スクリュー１３の長手方向（搬送方向）に隣接するスクリュー羽根１３ｂ相互の間の間隔（ピッチ）毎に設けられる。
【００３９】
又、前記スクリーンフィルタ１２が回転する場合は、前記スクリュー１３（スクリュー羽根１３ｂ）は回転せず、前記スクリュー羽根１３ｂは固定されたままの状態となり、当該スクリーンフィルタ１２の回転は、自身の長手方向の軸１２ａを中心として、前記回転部１４に接続されたベルト１４ａを介して行われる。
【００４０】
さて、前記回転部１４が前記スクリーンフィルタ１２を前記軸１２ａを中心として回転させると、内部に投入された混合液Ｍが、当該スクリーンフィルタ１２の内周面１２ｄに沿って回転するとともに、前記固定されたスクリュー羽根１３ｂの径方向の先端１３ｄに案内されて、前記供給口１２ｂから前記排出口１２ｃに向かって移動することになる。
【００４１】
ここで、前記回転により、前記混合液Ｍに遠心力が生じて、当該混合液Ｍが前記スクリーンフィルタ１２の内周面１２ｄに押し付けられる。当該押し付けられた混合液Ｍのうち、液体Ｌが前記スクリーンフィルタ１２の孔を通ってすり抜けるとともに、固体Ｓが前記孔をすり抜けることなく、前記スクリーンフィルタ１２の内周面１２ｄに残留する。当該残留した固体Ｓは、前記スクリュー羽根１３ｂの径方向の先端１３ｄに沿って、前記排出口１２ｃへ移動する。これにより、前記固液遠心分離装置１が、前記混合液Ｍから、液体Ｌと固体Ｓとを分離する。
【００４２】
前記分離された液体Ｌは、前記スクリーンフィルタ１２の孔（外周面）から滲み出て、当該スクリーンフィルタ１２の全体を覆うケーシング１１の下方底面と連通した第一のホッパ１６により回収される。又、前記分離された固体Ｓは、前記スクリーンフィルタ１２の排出口１２ｃと連通した第二のホッパ１７により回収される。
【００４３】
図３（Ａ）は、本発明に係る固液遠心分離装置１のスクリュー羽根１３ｂの先端１３ｄとスクリーンフィルタ１２の内周面１２ｄとの間に摺接部材が無い場合を説明するための概略断面図である。尚、図３（Ａ）では、前記スクリュー羽根１３ｂに対し長手方向に切断した断面図である。
【００４４】
ここで、前記スクリュー羽根１３ｂの径方向の先端１３ｄと、前記スクリーンフィルタ１２の内周面１２ｄとの間には、図３（Ａ）に示すように、通常、所定のクリアランスＣ１（例えば、数ｍｍ、以下、第一のクリアランスとする）が存在する。仮に、前記第一のクリアランスＣ１をゼロとするために、前記スクリュー羽根１３ｂの寸法と、前記スクリーンフィルタ１２の寸法とを精度高く設計し固定したとしても、前記第一のクリアランスＣ１が非常に微小であるため、当該設計は困難である。又、前記スクリュー羽根１３ｂと前記スクリーンフィルタ１２との材質は、通常、金属であり、両者を擦り合わせて前記第一のクリアランスＣ１をゼロとすることは、前記スクリュー羽根１３ｂに過度な押圧が掛かり、両者の損傷を招き、現実、ほぼ不可能である。
【００４５】
そのため、前記固液遠心分離装置１が、前記スクリーンフィルタ１２を回転して、前記混合液Ｍから、液体Ｌと固体Ｓとを分離する場合に、前記スクリュー羽根１３ｂの径方向の先端１３ｄに案内される固体Ｓが、前記第一のクリアランスＣ１に入り込んで、目詰まりを起こしたり、固体Ｓ自身が破損したり、前記スクリュー羽根１３ｂの径方向の先端１３ｄ又は／及びスクリーンフィルタ１２の内周面１２ｄがガタついたり、損傷したりする。
【００４６】
従来であれば、前記第一のクリアランスＣ１を埋めるべく、当該第一のクリアランスＣ１に対応する大きさの所定の摺接部材（従来摺接部材とする）を、割りピンなどの固定部材で、前記スクリュー羽根１３ｂの径方向の先端１３ｄに沿って固定する場合もあったが、前記スクリーンフィルタ１２が回転すると、前記従来摺接部材が前記スクリュー羽根１３ｂの先端１３ｄに固定したままであるから、当該スクリーンフィルタ１２の内周面１２ｄから前記スクリュー羽根１３ｂに向かって過度の押圧を受けて、即時に磨耗してしまう。
【００４７】
図３（Ｂ）は、本発明に係る固液遠心分離装置１のスクリュー羽根１３ｂの先端１３ｄとスクリーンフィルタ１２の内周面１２ｄとの間に摺接部材１８が有る場合を説明するための概略断面図である。又、図４は、本発明に係る固液遠心分離装置１の摺接部材１８の一例を示す斜視図である。尚、図３（Ｂ）では、図３（Ａ）と同様に、前記スクリュー羽根１３ｂに対し長手方向に切断した断面図である。
【００４８】
そこで、本発明に係る固液遠心分離装置１では、図３（Ｂ）、図４に示すように、前記スクリュー羽根１３ｂの径方向の先端１３ｄに設けられ、所定の範囲内で、当該スクリュー羽根１３ｂの中心軸１３ａに向かう前後方向に摺動可能で、且つ、自身の外周面１８ａ２を前記先端１３ｄから張り出すように構成された弾性体１８を備える。更に、前記弾性体１８の外周面１８ａ２を前記スクリーンフィルタ１２の内周面１２ｄに内接させた状態で、当該スクリュー羽根１３ｂを当該スクリーンフィルタ１２の内部に収納させることで、前記外周面１８ａ２を前記内周面１２ｄに押圧させた状態とする。ここで、摺動とは、摩擦が無く滑り動くことを意味し、前記弾性体１８が摺動する場合には、自身の形状が変形することなく滑り動くことを意味する。
【００４９】
具体的には、前記弾性体１８を、前記スクリュー羽根１３ｂの径方向の先端１３ｄを凸部として当該凸部１３ｄに遊嵌可能な凹部１８ａが長手方向に沿って設けられた略直線状で可撓性の摺接部材１８と構成している。ここで、遊嵌とは、遊びをもった状態で嵌めることを意味し、遊びのない状態でぴったり合致して嵌める嵌合とは全く異なる。又、略直線状とは、直線状を含む曲線状を意味する。
【００５０】
図５、図６は、本発明に係る固液遠心分離装置１の摺接部材１８の凹部１８ａをスクリュー羽根１３ｂの先端１３ｄに取り付ける場合を説明するための斜視図である。
【００５１】
更に、本発明に係る固液遠心分離装置１では、図５、図６に示すように、前記摺接部材１８を撓ませて、当該摺接部材１８の凹部１８ａを、前記スクリュー羽根１３ｂの中心軸１３ａに向かう前後方向に摺動可能に当該先端１３ｄに遊嵌させるとともに、当該摺接部材１８を、前記先端１３ｄと前記スクリーンフィルタ１２の内周面１２ｄとの間に挿通（嵌挿）させることで、前記凹部１８ａの内底面１８ａ１と前記先端１３ｄとの間に所定のクリアランスＣ２（第二のクリアランスとする）を設けて、当該凹部１８ａの外底面１８ａ２を前記スクリーンフィルタ１２の内周面１２ｄに押圧させた状態としている。
【００５２】
このように構成することで、前記摺接部材１８の凹部１８ａが、前記スクリュー羽根１３ｂの径方向の先端１３ｄに嵌め込まれたとしても、自身の可撓性に起因する復元力（弾性力、残留応力）により、撓まれた状態から元の状態に戻ろうして、当該凹部１８ａの内底面１８ａ１が前記スクリュー羽根１３ｂの径方向の先端１３ｄから離れ（上述した第二のクリアランスＣ２が生じ）、当該凹部１８ａの外底面１８ａ２が前記スクリーンフィルタ１２の内周面１２ｄを常時押圧することになる。そのため、前記摺接部材１８の凹部１８ａの外底面１８ａ１と、前記スクリーンフィルタ１２の内周面１２ｄとの間に、上述した第一のクリアランスＣ１が生じることが無く、上述した目詰まりなどの問題を解決することが可能となる。
【００５３】
一方、前記摺接部材１８を、前記スクリュー羽根１３ｂの径方向の先端１３ｄと前記スクリーンフィルタ１２の内周面１２ｄとの間に挿通した場合に、図３（Ｂ）に示すように、当該摺接部材１８の凹部１８ａの内底面１８ａ１と、当該スクリュー羽根１３ｂの径方向の先端面１３ｃとの間に前記第二のクリアランスＣ２が生じる。この第二のクリアランスＣ２が、上述した摺動可能な所定の範囲となる。又、前記摺接部材１８の凹部１８ａは、前記スクリュー羽根１３ｂの中心軸１３ａに向かう前後方向に摺動可能に構成されている。そのため、前記摺接部材１８全体が、前記スクリュー羽根１３ｂの径方向の先端１３ｄ及び前記スクリーンフィルタ１２の内周面１２ｄに対して弾性体１８のように機能し、前記スクリーンフィルタ１２の回転により生じる前記スクリュー羽根１３ｂの径方向の先端１３ｄへの押圧を緩和（吸収）することが可能となる。
【００５４】
即ち、前記摺接部材１８の凹部１８ａの外底面１８ａ２が前記スクリーンフィルタ１２の内周面１２ｄを常時押圧した状態で、当該スクリーンフィルタ１２が回転した際に、前記凹部１８ａの外底面１８ａ１が、様々な理由により、前記スクリーンフィルタ１２の内周面１２ｄから押圧を受けて、前記スクリュー羽根１３ｂの径方向の先端１３ｄに向かって強制的に（機械的に）押し戻された場合、前記第二のクリアランスＣ２の存在により、前記凹部１８ａの外底面１８ａ１が、前記スクリュー羽根１３ｂの径方向の先端１３ｄに直接衝突することなく、当該第二のクリアランスＣ２の分だけ、当該スクリュー羽根１３ｂの径方向の先端１３ｄ側に移動（弾性体であれば縮小）して、前記押圧を緩和するのである。
【００５５】
一方、前記スクリーンフィルタ１２の内周面１２ｄが、前記回転に伴う様々な理由により、前記凹部１８ａの外底面１８ａ１から離れようとすると、上述した復元力により、当該凹部１８ａの外底面１８ａ１が、前記第二のクリアランスＣ２の分だけ前記スクリーンフィルタ１２の内周面１２ｄ側に移動（弾性体であれば伸長）・追従して、当該スクリーンフィルタ１２の内周面１２ｄとぴったり合致し、前記第一のクリアランスＣ１をゼロとする。
【００５６】
このように、前記第一のクリアランスＣ１をゼロに維持するにも関わらず、前記摺接部材１８の凹部１８ａの外底面１８ａ２が、前記スクリーンフィルタ１２の内周面１２ｄに対して過度に擦れて磨耗することが無い。そのため、従来から存在する目詰まりなどの問題を解決するとともに、前記摺接部材１８の長期使用を図ることが可能となるのである。
【００５７】
尚、前記第一のクリアランスＣ１がゼロとなるとは、厳密に０．０ｍｍとなることを意味すると限定するものではなく、現実には、０．数ｍｍ（例えば、０．１ｍｍ、０．２ｍｍなど）となることも含まれる。
【００５８】
又、前記復元力は、前記固液遠心分離装置１の長期使用などの理由により、前記摺接部材１８の全体に渡って常時生じると限定するものではなく、現実には、前記摺接部材１８の所定の位置では、前記第一のクリアランスＣ１が、０．数ｍｍとなる場合もあり得るものの、前記第一のクリアランスＣ１がゼロの状態又はゼロに近い状態により得られる効果は、上述と同様である。
【００５９】
ここで、前記摺接部材１８は、略直線状であれば、特に限定しないが、例えば、図４、図５に示すように、前記摺接部材１８が曲線状である場合に、当該摺接部材１８の撓ませる前の凹部１８ａ（具体的には、内底面１８ａ１）の描く線の曲率半径Ｒ１が、前記スクリュー羽根１３ｂの径方向の先端１３ｄの描く曲線の曲率半径Ｒ２よりも大きいと、好ましい。このように構成すると、前記摺接部材１８の凹部１８ａを前記スクリュー羽根１３ｂの径方向の先端１３ｄに遊嵌させる場合に、当該摺接部材１８を確実に撓ませる必要が生じ、前記摺接部材１８に上述した復元力を確実に形成させる。すると、前記摺接部材１８の凹部１８ａの外底面１８ａ２を、前記スクリーンフィルタ１２の内周面１２ｄを確実に押圧させて、第一のクリアランスＣ１をゼロとすることが可能となる。
【００６０】
又、前記摺接部材１８は、前記凹部１８ａの内底面１８ａ１と、前記先端１３ｄとの間に上述した第二のクリアランスＣ２を設けることが可能であれば、特に限定しない。例えば、図３（Ｂ）に示すように、前記凹部１８ａの内底面１８ａ１と外底面１８ａ２との間の第一の寸法ｔ１が、当該摺接部材１８を挿通させる前における前記スクリュー羽根１３ｂの径方向の先端１３ｄと前記スクリーンフィルタ１２の内周面１２ｄとの間の第二の寸法ｔ２よりも短いと、好ましい。ここで、前記凹部１８ａの内底面１８ａ１は、前記スクリュー羽根１３ｂの径方向の先端１３ｄと対面する底面に対応し、当該凹部１８ａの外底面１８ａ２は、前記スクリーンフィルタ１２の内周面１２ｄと対面する底面に対応する。このように構成すると、上述した第二のクリアランスＣ２を確実に設けることが可能となる。
【００６１】
又、前記第一の寸法ｔ１は、上述した第二のクリアランスＣ２を生じるのであれば、特に限定しない。例えば、前記第二の寸法（第一のクリアランスＣ１に対応）が非常に微小（数ｍｍ）であるため、それに応じて、前記第一の寸法ｔ１が、前記第二の寸法ｔ２よりも１．０ｍｍ−２．０ｍｍの範囲内で短いと、好ましい。このように構成すると、前記摺接部材１８が、前記スクリーンフィルタ１２からの押圧を適切に緩和するとともに、当該摺接部材１８の凹部１８ａが、前記スクリーンフィルタ１２の回転により、前記スクリュー羽根１３ｂの径方向の先端１３ｄから脱落することを防止することが可能となる。
【００６２】
又、前記摺接部材１８の凹部１８ａの深さ、つまり、当該凹部１８ａの内底面１８ａ１から外部に至る外表面１８ａ３までの間の第三の寸法ｔ３は、当該摺接部材１８が、前記スクリュー羽根１３ｂの径方向の先端１３ｄに遊嵌可能であれば、特に限定しない。例えば、図３（Ｂ）に示すように、前記第一の寸法ｔ１が、１．０ｍｍ−２．０ｍｍの範囲内であれば、前記第三の寸法ｔ３が、前記第一の寸法ｔ１よりも５．０ｍｍ−８．０ｍｍの範囲内で長いと、好ましい。言い換えると、前記凹部１８ａの外底面１８ａ２から前記外表面１８ａ３までの間の寸法は、６．０ｍｍ−１０．０ｍｍの範囲内である。このように構成すると、前記摺接部材１８の凹部１８ａを容易に前記スクリュー羽根１３ｂの径方向の先端１３ｄに遊嵌（装着）出来るとともに、当該摺接部材１８の全体を円滑に、前記スクリュー羽根１３ｂの径方向の先端１３ｄと前記スクリーンフィルタ１２の内周面１２ｄとの間に挿通させることが可能となる。又、前記スクリーンフィルタ１２の回転により、前記摺接部材１８の凹部１８ａを、前記スクリュー羽根１３ｂの径方向の先端１３ｄから外れ難くすることが出来る。一方、前記第三の寸法ｔ３が大きすぎると、当該凹部１８ａの前記スクリュー羽根１３ｂの径方向の先端１３ｄに対する装着が困難となり、小さすぎると、当該挿通自体が不可能となる。尚、前記第三の寸法ｔ３は、例えば、６．５ｍｍであり、前記凹部１８ａの外底面１８ａ２から前記外表面１８ａ３までの間の寸法は、例えば、８．２ｍｍである。
【００６３】
又、前記摺接部材１８の凹部１８ａにおける内側面の（両方の）間の第四の寸法ｔ４は、特に限定しないが、例えば、図３（Ｂ）に示すように、第四の寸法ｔ４が、前記スクリュー羽根１３ｂの径方向の先端１３ｄにおける外側面の（両方の）間の寸法Ｗ（幅）よりも０．２ｍｍ−０．８ｍｍの範囲内で短いと、好ましい。このように構成すると、前記摺接部材１８の凹部１８ａを、前記スクリュー羽根１３ｂの径方向の先端１３ｄに遊嵌させた場合に、当該凹部１８ａを、確実に前記スクリュー羽根１３ｂの中心軸１３ａに向かう前後方向に摺動可能に当該先端１３ｄに遊嵌させることが可能となる。尚、前記第四の寸法ｔ４は、例えば、３．２ｍｍであり、前記先端１３ｄの外側面の間の寸法Ｗは、例えば、２．６ｍｍである。
【００６４】
又、前記摺接部材１８の外側面の（両方の）間の第五の寸法ｔ５は、特に限定しないが、例えば、図３（Ｂ）に示すように、前記第五の寸法ｔ５が、前記スクリュー羽根１３ｂの径方向の先端１３ｄにおける外側面の間の寸法Ｗ（幅）よりも３．０ｍｍ−６．０ｍｍの範囲内で長いと、好ましい。このように構成すると、前記スクリュー羽根１３ｂに前記摺接部材１８を装着させる際に、前記スクリュー羽根１３ｂの径方向の先端１３ｄに対する前記摺接部材１８の凹部１８ａの遊嵌を容易にすることが可能となる。尚、前記第五の寸法ｔ５は、例えば、６．５ｍｍである。又、前記摺接部材１８の凹部１８ａの両側部は、前記スクリュー羽根１３ｂの径方向の先端１３ｄを挟み込むように構成されても構わない。
【００６５】
又、前記摺接部材１８の材質は、可撓性であれば、特に限定しないが、例えば、耐摩耗性に優れる合成樹脂などが好ましい。又、前記摺接部材１８の長手方向の全長は、前記スクリュー羽根１３ｂの径方向の先端１３ｄが描く線の全長に一致する必要は無く、所定の長さの摺接部材１８を直列に連結して、各摺接部材１８毎の凹部１８ａを、前記スクリュー羽根１３ｂの径方向の先端１３ｄにそれぞれ遊嵌するよう構成しても構わない。尚、前記摺接部材１８の長手方向の全長が、前記スクリュー羽根１３ｂの径方向の先端１３ｄが描く線の全長に対応するのであれば、例えば、２５．０ｍとする。
【００６６】
又、前記スクリーンフィルタ１２の孔１２ｅは、特に限定しないが、例えば、図３（Ｂ）に示すように、前記スクリーンフィルタ１２の内側から外側に向かって拡径された構成であると、好ましい。このように構成すると、前記混合液Ｍから分離された固体Ｓが、前記摺接部材１８（前記凹部１８ａの外底面１８ａ２）との擦れにより、前記孔１２ｅの内部に強制的に押し込まれること無く、目詰まりなどの問題を解消することが可能となる。
【００６７】
尚、前記スクリーンフィルタ１２の内周面１２ｄから外周面までの距離（厚さ）は、特に限定しないが、例えば、２．０ｍｍである。又、前記孔１２ｅの最大孔径も、特に限定しないが、例えば、０．３ｍｍから３．０ｍｍまでの範囲内である。
【００６８】
図７は、本発明に係る固液遠心分離装置１において排出口１２ｃ側のスクリュー羽根１３ｂの末端部１３ｂ１近傍の正面断面拡大図である。又、図８は、本発明に係る固液遠心分離装置１において排出口１２ｃ側のスクリュー羽根１３ｂの末端部１３ｂ１の向きＤを説明するための概略断面図である。
【００６９】
又、前記スクリュー羽根１３ｂにおける前記排出口１２ｃ側の末端部１３ｂ１は、特に限定しないが、例えば、以下の構成を採用すると、更に、好ましい。即ち、図７に示すように、前記末端部１３ｂ１の近傍を所定の位置１３ｂ２で前記スクリュー１３の長手方向に対応する混合液（搬送対象物）の搬送方向側（前記排出口１２ｃ側）に折り曲げることで、前記スクリュー１３の長手方向と直角な方向から見た、当該末端部１３ｂ１の近傍のスクリュー羽根１３ｂの水平線に対する傾斜角度αを、他のスクリュー羽根１３ｂの水平線に対する傾斜角度βよりも小さくする。更に、図８に示すように、前記末端部１３ｂ１の向きＤを、前記中心軸１３ａの水平方向の位置Ｈ（高さ）よりも上方に向かせて固定させる。尚、図８では、前記スクリュー羽根１３ｂにおける前記排出口１２ｃ側の末端部１３ｂ１の向きＤは、前記中心軸１３ａの水平方向の位置Ｈに対して３０度の角度だけ上方を向いて固定されている。
【００７０】
このように構成することで、先ず、前記折り曲げにより、前記スクリュー羽根１３ｂの末端部１３ｂ１が、前記スクリーンフィルタ１２の内周面１２ｄ側を向くことなく、前記スクリーンフィルタ１２の長手方向の軸１２ａ側を向くこととなる。すると、図７に示すように、前記スクリーンフィルタ１２の回転により前記スクリュー羽根１３ｂに沿って搬送された固体Ｓが、前記末端部１３ｂ１から放出（開放、リリース）される場合に、上方に向かって放出されて放物線を描いて落下することとなる。この落下により、前記固体Ｓの勢いを緩和して、当該固体Ｓを飛散（拡散）又は破損させることなく、効率よく回収することが可能となる。
【００７１】
又、図８に示すように、内部で回転及び移動する混合液Ｍ（主として固体Ｓ）は、通常、前記スクリュー羽根１３ｂにおける前記排出口１２ｃ側の末端部１３ｂ１が向く向きＤに沿って放出（開放、リリース）されるが、前記スクリュー羽根１３ｂの末端部１３ｂ１に対面する部材は、当該末端部１３ｂ１が末端部材であるため、前記スクリーンフィルタ１２でなく、前記排出口１２ｃ側のケーシング１１となる。そのため、今までスクリーンフィルタ１２にへばり付いていた固体Ｓが、前記末端部１３ｂ１で所定の向きＤに沿って放出された場合に、当該末端部１３ｂ１に対面するケーシング１１の内面に勢い良く衝突（接触、ブレーキ）することになる。ここで、前記末端部１３ｂ１の向きＤを、上述した構成にすると、当該衝突により、丁度、前記分離された固体Ｓは上方に向かってから下方へ放物線を描いて落下することとなり、この落下により、上述と同様に、当該固体Ｓが飛散することなく、効率よく回収される。その結果、分離収率を高めることが可能となる。
【００７２】
ここで、前記末端部１３ｂ１の位置は、特に限定しないが、例えば、前記スクリーンフィルタ１２の回転速度が速い程、前記スクリュー１３の中心軸１３ａの上方近傍、図７、図８では、点線で示した前記末端部１３ｂ１の位置にすると、前記回転速度が速くなるにつれて大きくなる前記固体Ｓの勢い、つまり、前記放出される固体Ｓの勢いを適切に緩和することが可能となり、好ましい。
【００７３】
又、前記回転部１４における前記スクリーンフィルタ１２を回転させる回転速度（周速）は、前記混合液Ｍの成分、目的とする分離収率などのパラメータに応じて、適宜設計変更される。例えば、前記混合液Ｍが、皮膜の強度が非常に弱い粒子状の固体（イクラの卵など）と、油である液体Ｌとの混合物である場合には、前記回転速度を、数ｍ／ｓｅｃ（例えば、２．５ｍ／ｓｅｃ、５．０ｍ／ｓｅｃなど）とすると、前記固体Ｓを破損することなく分離出来るため、好ましい。
【００７４】
又、前記混合液Ｍの成分は、特に限定しないが、例えば、前記液体Ｌが油である場合に、当該油が前記摺接部材１８に塗布されて、当該摺接部材１８への前記固体Ｓの引っ掛かりを防止し、前記摺接部材１８と前記スクリーンフィルタ１２との間で生じる固体Ｓの挟まり、粉砕を確実に防止することが可能となる。尚、前記混合液Ｍは、例えば、油２Ｌに対して、粒子状の固体（イクラの卵など）が６０００個程度混合されたものが対象となる。
【００７５】
このように、本発明に係る固液遠心分離装置１は、前記スクリュー羽根１３ｂの径方向の先端１３ｄに設けられ、所定の範囲内で、当該スクリュー羽根１３ｂの中心軸１３ａに向かう前後方向に摺動可能で、且つ、自身の外周面１８ａ２を前記先端１３ｄから張り出すように構成された弾性体１８（摺接部材）を備える。そして、前記弾性体１８の外周面１８ａ２を前記スクリーンフィルタ１２の内周面１２ｄに内接させた状態で、当該スクリュー羽根１３ｂを当該スクリーンフィルタ１２の内部に収納させることで、前記外周面１８ａ２を前記内周面１２ｄに押圧させた状態とする。
【００７６】
これにより、前記摺接部材１８の可撓性に起因する復元力により、当該摺接部材１８の凹部１８ａの外底面１８ａ２が、前記スクリーンフィルタ１２の内周面１２ｄを常に押圧し、前記スクリュー羽根１３ｂの径方向の先端１３ｄと前記スクリーンフィルタ１２の内周面１２ｄとの間の第一のクリアランスＣ１をゼロとすることが可能となる。又、前記摺接部材１８の凹部１８ａの内底面１８ａ１と、前記スクリュー羽根１３ｂの先端面１３ｃとの間に第二のクリアランスＣ２を生じさせることで、前記摺接部材１８の凹部１８ａの外底面１８ａ２に対する前記スクリーンフィルタ１２の内周面１２ｄからの押圧を適宜緩和させて、当該摺接部材１８の凹部１８ａの外底面１８ａ２の過度の磨耗を防止し、当該摺接部材１８の長期使用を図ることが可能となる。
【００７７】
尚、本発明の固液遠心分離装置１では、図３（Ｂ）、図４に示すような摺接部材１８を採用して、前記スクリュー羽根１３ｂの径方向の先端１３ｄに上述した弾性体１８を備えるよう構成したが、本発明の目的、作用効果を得られるのであれば、他の構成でも構わない。
【００７８】
図９（Ａ）は、本発明に係る固液遠心分離装置のコイル線材の正面図と左側面図であり、図９（Ｂ）は、本発明に係る固液遠心分離装置のコイル線材をスクリーンフィルタの内部に収納した状態の正面図と左側面図である。
【００７９】
例えば、本発明の固液遠心分離装置１では、図９（Ａ）に示すように、前記スクリュー羽根１３ｂを、径方向の外径Ｒ３が前記スクリーンフィルタ１２の内径Ｒ４よりも所定量だけ大きい螺旋状のコイル線材１３ｂとすることで、当該コイル線材１３ｂの径方向の外周面１８ａ２を前記弾性体１８とする。そして、図９（Ｂ）に示すように、前記外周面１８ａ２を前記スクリーンフィルタ１２の内周面１２ｄに内接させた状態で、前記コイル線材１３ｂを当該スクリーンフィルタ１２の内部に収納させることで、前記外周面１８ａ２を前記内周面１２ｄに押圧させた状態としても構わない。
【００８０】
ここで、前記コイル線材１３ｂの径方向の外周面１８ａ２が、前記弾性体１８でもあり、上述したスクリュー羽根１３ｂの径方向の先端１３ｄにも対応することになる。
【００８１】
このように構成しても、前記コイル線材１３ｂ自体が弾性体となることから、当該コイル線材１３ｂの径方向の外周面１８ａ２も当然に弾性体として機能する。そのため、前記外周面１８ａ２が、前記スクリーンフィルタ１２の内周面１２ｄを常に押圧し、当該外周面１８ａ２と当該内周面１２ｄとの間の第一のクリアランスＣ１をゼロとすることが可能となり、前記混合液Ｍ中の固体Ｓの目詰まり等を確実に防止することが可能となる。
【００８２】
又、前記コイル線材１３ｂの径方向の外周面１８ａ２が、当該コイル線材１３ｂの中心軸１３ａに向かって移動（収縮）したとしても、当該コイル線材１３ｂの内部は空間Ｖが設けられるため、当該コイル線材１３ｂ自体に過度の押圧が掛かることない。つまり、前記コイル線材１３ｂの径方向の外周面１８ａ２が、前記空間Ｖに対応する所定の範囲内で、前記スクリュー羽根１３ｂの中心軸１３ａに向かう前後方向に摺動し、前記スクリーンフィルタ１２の内周面１２ｄからの押圧を適宜緩和させる。これにより、前記コイル線材１３ｂの過度の磨耗を防止し、前記コイル線材１３ｂの長期使用を図ることが可能となる。特に、前記スクリュー羽根１３ｂを、前記コイル線材１３ｂとすることで、上述した摺接部材１８などを新たに設ける必要が無くなるから、部品点数を減らして、コスト削減を図ることが可能となる。
【００８３】
ここで、前記コイル線材１３ｂを前記スクリーンフィルタ１２の内部に収納させる場合には、もちろん、当該コイル線材１３ｂの中心軸１３ａ方向を当該スクリーンフィルタ１２の軸１２ａ方向に一致させることになる。
【００８４】
又、前記コイル線材１３ｂの径方向の外径Ｒ３と前記スクリーンフィルタ１２の内径Ｒ４との間の所定量は、特に限定しないが、当該コイル線材１３ｂ及びスクリーンフィルタ１２への過度の損傷などを考慮すると、例えば、１．０ｍｍ−１０．０ｍｍの範囲内、具体的には、３．０ｍｍ−５．０ｍｍの範囲内である。
【００８５】
又、前記コイル線材１３ｂは、前記スクリーンフィルタ１２の内部にどのように収納されても構わないが、例えば、当該スクリーンフィルタ１２が回転され、当該コイル線材１３ｂが当該スクリーンフィルタ１２の内部に固定される場合であれば、以下のように構成することが出来る。即ち、図９（Ａ）、図９（Ｂ）に示すように、前記コイル線材１３ｂの末端部１３ｂ３を、当該コイル線材１３ｂの中心Ｃの近傍に延出させるとともに、当該延出された末端部１３ｂ３に、前記スクリュー１３の円筒状の中心軸１３ａに嵌合可能な管部１３ｂ４を設ける。そして、前記コイル線材１３ｂの管部１３ｂ４を前記スクリュー１３の中心軸１３ａに嵌め合わせることで、当該コイル線材１３ｂを前記スクリーンフィルタ１２の内部に固定させる。尚、前記コイル線材１３ｂの一端で、当該コイル線材１３ｂ全体を固定するのが困難な場合には、当該コイル線材１３ｂの他方の末端部に、同様の管部を設けて、当該コイル線材１３ｂの両端で全体を固定するよう構成しても構わない。
【００８６】
又、前記コイル線材１３ｂの材質は、特に限定しないが、例えば、ステンレス製、鋼製、樹脂製などが挙げられる。
【００８７】
又、前記コイル線材１３ｂの線径（線材自身の断面径、直径）は、特に限定しないが、例えば、２．０ｍｍ−５．０ｍｍの範囲内であると、前記液体Ｌ中の前記固体Ｓを粉砕することなく、円滑に分離することが可能となるため、好ましい。尚、図９（Ａ）、図９（Ｂ）に示すコイル線材１３ｂの線径は、２．６ｍｍである。
【００８８】
又、前記コイル線材１３ｂの中心軸１３ａ方向（長手方向）に隣接する当該コイル線材１３ｂ相互の間の間隔Ｐ（ピッチ）は、特に限定しないが、例えば、前記混合液Ｍ中の固体Ｓの大きさに応じて、当該ピッチＰが全く無く、中心軸１３ａ方向に隣接するコイル線材１３ｂが相互に接触していても、当該ピッチＰが所定量だけ設けられて、中心軸１３ａ方向に隣接するコイル線材１３ｂが相互に離れていても構わない。
【００８９】
又、本発明の固液遠心分離装置１では、横型の固液遠心分離装置１に適用したが、これに限定する必要は無く、例えば、縦型の固液遠心分離装置に適用しても、その原理原則に基づけば、同様の作用効果を奏する。
【００９０】
又、本発明の固液遠心分離装置１では、前記スクリーンフィルタ１２が回転する固液遠心分離装置１に適用したが、これに限定する必要は無く、例えば、前記スクリュー（スクリュー羽根）が回転する固液遠心分離装置に適用しても、その原理原則に基づけば、同様の作用効果を奏する。尚、前記スクリューを回転させる場合には、前記スクリュー羽根１３ｂの末端部１３ｂ１の位置を固定することは出来ないことは言うまでも無い。
【００９１】
又、本発明の固液遠心分離装置１では、固体Ｓと液体Ｌとを混合した混合液Ｍを分離する固液遠心分離装置１に適用したが、これに限定する必要は無く、例えば、所定のサイズの第一の固体（第一の粒子）と、当該第一の固体のサイズよりも大きいサイズの第二の固体（第二の粒子）とを混合した混合物（混合粉体）などの所定の粒状物の集合体を分離する遠心分離装置１に適用しても構わない。
【００９２】
又、本発明の固液遠心分離装置１では、前記スクリュー羽根１３ｂと、前記中心軸１３ａの外周面との間に空間を形成する構成を採用したが、これに限定する必要は無く、例えば、前記スクリュー羽根１３ｂを、前記スクリュー１３の中心軸１３ａの外周面から突設された構成にしても構わない。
【００９３】
又、本発明の固液遠心分離装置１では、前記スクリーンフィルタ１２に、前記供給管１５を介して前記混合液Ｍを供給するよう構成したが、当該混合液Ｍの供給形態は、どのような供給形態でも構わない。例えば、前記スクリュー１３の中心軸１３ａを空洞とし、前記スクリーンフィルタ１２の供給口１２ｂ側に、当該中心軸１３ａを下方に開口して、前記スクリーンフィルタ１２の排出口１２ｃ側から、前記中心軸１３ａを介して前記混合液Ｍを供給するよう構成しても構わない。
【００９４】
＜スクリュー搬送装置＞
【００９５】
次に、図１０を参照しながら、本発明が、スクリュー搬送装置にも適用可能であることについて説明する。本発明に係る固液遠心分離装置１と比較して、本発明に係るスクリュー搬送装置２の異なる点は、前記スクリーンフィルタ１２が、無孔のシリンダ２２である点である。その他の点については、本発明に係る固液遠心分離装置１と同様であるため、本発明に係る固液遠心分離装置１の説明において用いた図面（図３−図６）を適宜参照するとともに、共通する部材、符号は、そのまま援用する。
【００９６】
図１０は、本発明に係るスクリュー搬送装置２の一例を示す正面断面図である。
【００９７】
本発明に係るスクリュー搬送装置２は、搬送対象物Ｍが供給される円筒状のシリンダ２２と、前記シリンダ２２の内部に収納された、螺旋状のスクリュー羽根１３ｂを備えるスクリュー１３と、前記スクリュー１３を所定の回転速度で回転させることで前記搬送対象物Ｍを搬送する回転部１４とを備えている。
【００９８】
さて、本発明に係るスクリュー搬送装置２では、前記回転部１４が前記スクリュー１３を中心軸１３ａを中心として回転させると、内部に投入された搬送対象物Ｍが、当該スクリュー羽根１３ｂに案内されて回転するとともに、前記固定されるシリンダ２２の内周面２２ｄに沿って、前記シリンダ２２の供給口２２ｂから排出口２２ｃに向かって移動することになる。
【００９９】
ここで、前記スクリュー搬送装置２は、上述した固液遠心分離装置１と同様に、前記スクリュー羽根１３ｂの径方向の先端１３ｄに設けられ、所定の範囲内で、当該スクリュー羽根１３ｂの中心軸１３ａに向かう前後方向に摺動可能で、且つ、自身の外周面１８ａ２を前記先端１３ｄから張り出すように構成された弾性体１８（摺接部材）を備える。そして、前記弾性体１８の外周面１８ａ２を前記スクリーンフィルタ１２の内周面１２ｄに内接させた状態で、当該スクリュー羽根１３ｂを当該スクリーンフィルタ１２の内部に収納させることで、前記外周面１８ａ２を前記内周面１２ｄに押圧させた状態とする。
【０１００】
つまり、図３−図６に示すように、前記弾性体１８が、前記スクリュー羽根１３ｂの径方向の先端１３ｃを凸部として当該凸部に遊嵌可能な凹部１８ａが長手方向に沿って設けられた略直線状で可撓性の摺接部材１８である。又、前記スクリュー搬送装置２は、前記摺接部材１８を撓ませて、当該摺接部材１８の凹部１８ａを、前記スクリュー羽根１３ｂの径方向の先端１３ｃの向かう前後方向に摺動可能に当該先端１３ｃに遊嵌させるとともに、当該摺接部材１８を、前記先端１３ｃと前記シリンダ２２の内周面２２ｄとの間に挿通させることで、前記凹部１８ａの内底面１８ａ１と、前記先端１３ｃとの間に第二のクリアランスＣ２を設けて、当該凹部１８ａの外底面１８ａ２を前記シリンダ２２の内周面２２ｄに押圧させた状態とする。
【０１０１】
これにより、本発明に係る固液遠心分離装置１と同様に、前記スクリュー羽根１３ｂの径方向の先端１３ｃと前記シリンダ２２の内周面２２ｄとの間の第一のクリアランスＣ１をゼロとするとともに、前記摺接部材１８の長期使用を図ることが可能となる。又、前記第一のクリアランスＣ１のゼロにより、前記シリンダ２２内に供給した搬送対象物を内部に殆ど残留させることなく、前記シリンダ２２の排出口２２ｃへ搬送させることが可能となる。
【０１０２】
尚、前記摺接部材１８の構成、材質、寸法などは、本発明に係る固液遠心分離装置１と同様であるため、その説明は省略する。
【０１０３】
又、本発明のスクリュー搬送装置２では、前記スクリュー１３を回転させる場合には、上述と同様に、前記スクリュー羽根１３ｂの末端部１３ｂ１の位置を固定することは出来ないことは言うまでも無い。一方、本発明のスクリュー搬送装置２では、本発明の固液遠心分離装置１と同様に、前記シリンダ２２を回転させるよう構成しても構わない。
【０１０４】
又、本発明のスクリュー搬送装置２では、前記スクリュー羽根１３ｂを、図９に示した前記コイル線材１３ｂに代えても構わないことは、言うまでもない。
【０１０５】
又、本発明のスクリュー搬送装置２では、前記搬送対象物Ｍは、固体であっても、液体であっても、固体と液体とを混合した混合液であっても構わないし、スラリーなどの所定の粘度を有する液体を含んでも構わない。
【産業上の利用可能性】
【０１０６】
以上のように、本発明に係る固液遠心分離装置及びスクリュー搬送装置は、固液遠心分離装置はもちろん、通常の遠心分離装置、通常のスクリュー型の搬送装置においても有用であり、スクリュー羽根の先端と、これに対面する面との間に生じるクリアランスをゼロとして、搬送対象物の目詰まり等を確実に防止するとともに、長期使用を可能とする固液遠心分離装置及びスクリュー搬送装置として有効である。
【符号の説明】
【０１０７】
１  固液遠心分離装置
１１  ケーシング
１２  スクリーンフィルタ
１２ｄ  スクリーンフィルタの内周面
１３  スクリュー
１３ａ  スクリューの中心軸
１３ｂ  スクリュー羽根
１３ｃ  スクリュー羽根の先端
１４  回転部
１５  供給管
１６  第一のホッパ
１７  第二のホッパ
１８  摺接部材
１８ａ  凹部
１８ａ１  内底面
１８ａ２  外底面
２  スクリュー搬送装置
２２  シリンダ
２２ｄ  シリンダの内周面
【図１】
0005842275.tif 000002
【図２】
0005842275.tif 000003
【図３】
0005842275.tif 000004
【図４】
0005842275.tif 000005
【図５】
0005842275.tif 000006
【図６】
0005842275.tif 000007
【図７】
0005842275.tif 000008
【図８】
0005842275.tif 000009
【図９】
0005842275.tif 000010
【図１０】
0005842275.tif 000011